(57)【特許請求の範囲】
【請求項１】
アップリンクキャリアアグリゲーション機能を有するユーザ装置であって、
基地局との無線通信を制御する無線通信制御部と、
他のＲＡＴ（Ｒａｄｉｏ  Ａｃｃｅｓｓ  Ｔｅｃｈｎｏｌｏｇｙ）システムとの無線通信を制御する他ＲＡＴ無線通信制御部と、
アップリンクキャリアアグリゲーションの設定中に前記他のＲＡＴシステムとの無線通信が起動されると、前記アップリンクキャリアアグリゲーションにおいて干渉を生じさせるセカンダリセルに対するリソース割当を停止させるトリガメッセージを前記基地局に送信する他ＲＡＴ通信状態報告部と、
を有し、
前記アップリンクキャリアアグリゲーションの設定中に前記他のＲＡＴシステムとの無線通信が起動されると、前記他ＲＡＴ通信状態報告部は、前記干渉を生じさせるセカンダリセルについて所定値以下のパワーヘッドルームを前記基地局に報告するユーザ装置。
【請求項２】
アップリンクキャリアアグリゲーション機能を有するユーザ装置であって、
基地局との無線通信を制御する無線通信制御部と、
他のＲＡＴ（Ｒａｄｉｏ  Ａｃｃｅｓｓ  Ｔｅｃｈｎｏｌｏｇｙ）システムとの無線通信を制御する他ＲＡＴ無線通信制御部と、
アップリンクキャリアアグリゲーションの設定中に前記他のＲＡＴシステムとの無線通信が起動されると、前記アップリンクキャリアアグリゲーションにおいて干渉を生じさせるセカンダリセルに対するリソース割当を停止させるトリガメッセージを前記基地局に送信する他ＲＡＴ通信状態報告部と、
を有し、
前記アップリンクキャリアアグリゲーションの設定中に前記他のＲＡＴシステムとの無線通信が起動されると、前記他ＲＡＴ通信状態報告部は、前記アップリンクキャリアアグリゲーションのセルの内、前記干渉を生じさせるセカンダリセルと当該セカンダリセル以外のセルとのアップリンク送信タイミング差が所定の閾値以上になったことを前記基地局に報告するユーザ装置。
【請求項３】
アップリンクキャリアアグリゲーション機能を有するユーザ装置であって、
基地局との無線通信を制御する無線通信制御部と、
他のＲＡＴ（Ｒａｄｉｏ  Ａｃｃｅｓｓ  Ｔｅｃｈｎｏｌｏｇｙ）システムとの無線通信を制御する他ＲＡＴ無線通信制御部と、
アップリンクキャリアアグリゲーションの設定中に前記他のＲＡＴシステムとの無線通信が起動されると、前記アップリンクキャリアアグリゲーションにおいて干渉を生じさせるセカンダリセルに対するリソース割当を停止させるトリガメッセージを前記基地局に送信する他ＲＡＴ通信状態報告部と、
を有し、
前記アップリンクキャリアアグリゲーションの設定中に前記他のＲＡＴシステムとの無線通信が起動されると、前記他ＲＡＴ通信状態報告部は、前記干渉を生じさせるセカンダリセルの品質が劣化したことを前記基地局に報告するユーザ装置。
【請求項４】
前記他ＲＡＴ通信状態報告部は、前記基地局からの指示によって起動又は停止される、請求項１乃至３何れか一項記載のユーザ装置。
【請求項５】
アップリンクキャリアアグリゲーション機能を有するユーザ装置であって、
基地局との無線通信を制御する無線通信制御部と、
他のＲＡＴ（Ｒａｄｉｏ  Ａｃｃｅｓｓ  Ｔｅｃｈｎｏｌｏｇｙ）システムとの無線通信を制御する他ＲＡＴ無線通信制御部と、
アップリンクキャリアアグリゲーションの設定中に前記他のＲＡＴシステムとの無線通信が起動されると、前記無線通信制御部は、前記アップリンクキャリアアグリゲーションにおいて干渉を生じさせるセカンダリセルへの送信を自律的に停止し、
前記アップリンクキャリアアグリゲーションの設定中に前記他のＲＡＴシステムとの無線通信が起動されると、前記無線通信制御部は、前記干渉を生じさせるセカンダリセルへの送信を自律的に停止するアップリンク送信停止イベントを実行し、
前記アップリンク送信停止イベントは、再接続処理を実行すること、前記干渉を生じさせるセカンダリセルに対するタイミングアドバンスタイマを停止若しくは満了させること、又は前記アップリンクキャリアアグリゲーションの内、前記干渉を生じさせるセカンダリセルと当該セカンダリセル以外のセルとのアップリンク送信タイミング差が所定の閾値以上になったと判定することであるユーザ装置。
【発明の詳細な説明】
【技術分野】
【０００１】
本発明は、無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）システム及びＬＴＥ−Ａｄｖａｎｃｅｄシステムの高機能化が図られている。現在、キャリアアグリゲーション技術をアップリンク通信に適用するアップリンクキャリアアグリゲーション（Ｕｐｌｉｎｋ  Ｃａｒｒｉｅｒ  Ａｇｇｒｅｇａｔｉｏｎ：ＵＬ  ＣＡ）の導入が検討されている。アップリンクキャリアアグリゲーションでは、ユーザ装置（Ｕｓｅｒ  Ｅｑｕｉｐｍｅｎｔ：ＵＥ）が複数のコンポーネントキャリア（Ｃｏｍｐｏｎｅｎｔ  Ｃａｒｒｉｅｒ：ＣＣ）を同時に利用して、基地局（ｅｖｏｌｖｅｄ  ＮｏｄｅＢ：ｅＮＢ）にアップリンク信号を送信する。
【先行技術文献】
【非特許文献】
【０００３】
【非特許文献１】３ＧＰＰ  ＴＳ３６．３００  Ｖ１２．３．０（２０１４−０９）
【非特許文献２】３ＧＰＰ  ＴＳ３６．３０６  Ｖ１２．２．０（２０１４−０９）
【非特許文献３】３ＧＰＰ  ＴＳ３６．３２１  Ｖ１２．３．０（２０１４−０９）
【非特許文献４】３ＧＰＰ  ＴＳ３６．３３１  Ｖ１２．３．０（２０１４−０９）
【発明の概要】
【発明が解決しようとする課題】
【０００４】
スマートフォンやタブレットなどのユーザ装置は、典型的には、基地局との通信中にＧＰＳ（Ｇｌｏｂａｌ  Ｐｏｓｉｔｉｏｎｉｎｇ  Ｓｙｓｔｅｍ）などのＧＮＳＳ（Ｇｌｏｂａｌ  Ｎａｖｉｇａｔｉｏｎ  Ｓａｔｅｌｌｉｔｅ  Ｓｙｓｔｅｍ）を含む他のＲＡＴ（Ｒａｄｉｏ  Ａｃｃｅｓｓ  Ｔｅｃｈｎｏｌｏｇｙ）システムと無線通信を行う。アップリンクキャリアアグリゲーションの設定中にユーザ装置が複数のキャリアで無線信号を同時送信する場合、キャリア周波数の組み合わせにより、アップリンクキャリアアグリゲーションにより生じる相互変調歪み（Ｉｎｔｅｒ−Ｍｏｄｕｌａｔｉｏｎ  Ｄｉｓｔｏｒｔｉｏｎ：ＩＭＤ）がＧＮＳＳなどの他のＲＡＴシステムの受信帯域に落ちるケースがある。例えば、アップリンクキャリアアグリゲーションにおいて、８００ＭＨｚ帯域と１．７ＧＨｚ帯域とが同時使用される場合、５次の相互変調歪み（ＩＭＤ５）が１５３５〜１６１５ＭＨｚ帯域に発生することが知られている。図１に示されるように、このＩＭＤ５の発生領域は各種ＧＮＳＳ信号の受信帯域と重複するため、ユーザ装置内のデバイス間に干渉が生じる。この結果、８００ＭＨｚ帯域と１．７ＧＨｚ帯域との組み合わせによるアップリンクキャリアアグリゲーションの実行中は、ユーザ装置はＧＮＳＳ信号を受信することができず、位置情報を取得できなくなる。
【０００５】
上述した問題点を鑑み、本発明の課題は、アップリンクキャリアアグリゲーション通信中に他のＲＡＴシステムとの無線通信を実現するための技術を提供することである。
【課題を解決するための手段】
【０００６】
上記課題を解決するため、本発明の一態様は、アップリンクキャリアアグリゲーション機能を有するユーザ装置であって、基地局との無線通信を制御する無線通信制御部と、他のＲＡＴシステムとの無線通信を制御する他ＲＡＴ無線通信制御部と、アップリンクキャリアアグリゲーションの設定中に前記他のＲＡＴシステムとの無線通信が起動されると、前記アップリンクキャリアアグリゲーションにおいて干渉を生じさせるセカンダリセルに対するリソース割当を停止させるトリガメッセージを前記基地局に送信する他ＲＡＴ通信状態報告部とを有するユーザ装置に関する。
【０００７】
本発明の他の態様は、アップリンクキャリアアグリゲーション機能を有する基地局であって、ユーザ装置との無線通信を制御する無線通信制御部と、アップリンクキャリアアグリゲーションの設定中に他のＲＡＴシステムとの無線通信が起動されたことに応答して前記ユーザ装置から送信されたトリガメッセージを受信するトリガメッセージ受信部とを有する基地局であって、前記無線通信制御部は、前記トリガメッセージの受信に応答して、前記アップリンクキャリアアグリゲーションにおいて干渉を生じさせるセカンダリセルに対するリソース割当を停止する基地局に関する。
【０００８】
本発明の更なる他の態様は、アップリンクキャリアアグリゲーション機能を有するユーザ装置であって、基地局との無線通信を制御する無線通信制御部と、他のＲＡＴシステムとの無線通信を制御する他ＲＡＴ無線通信制御部と、アップリンクキャリアアグリゲーションの設定中に前記他のＲＡＴシステムとの無線通信が起動されると、前記無線通信制御部は、前記アップリンクキャリアアグリゲーションにおいて干渉を生じさせるセカンダリセルへの送信を自律的に停止するユーザ装置に関する。
【０００９】
本発明の更なる他の態様は、アップリンクキャリアアグリゲーション機能を有する基地局であって、ユーザ装置との無線通信を制御する無線通信制御部と、アップリンクキャリアアグリゲーションの設定中に前記ユーザ装置による他のＲＡＴシステムとの無線通信の起動を自律的に検出する他ＲＡＴ通信状態検出部とを有し、前記他のＲＡＴシステムとの無線通信の起動が検出されると、前記無線通信制御部は、前記アップリンクキャリアアグリゲーションにおいて干渉を生じさせるセカンダリセルに対するリソース割当を停止する基地局に関する。
【発明の効果】
【００１０】
本発明によると、アップリンクキャリアアグリゲーション通信中に他のＲＡＴシステムとの無線通信を実現するための技術を提供することができる。
【図面の簡単な説明】
【００１１】
【図１】図１は、ＧＮＳＳの受信帯域とＵＬ  ＣＡの相互変調歪みとの干渉を示す図である。
【図２】図２は、本発明の一実施例による無線通信システムを示す概略図である。
【図３】図３は、本発明の第１実施例によるユーザ装置の構成を示すブロック図である。
【図４】図４は、本発明の第１実施例による基地局の構成を示すブロック図である。
【図５】図５は、本発明の第１実施例によるユーザ装置におけるアップリンクキャリアアグリゲーション通信処理を示すフロー図である。
【図６】図６は、本発明の第１実施例による基地局におけるアップリンクキャリアアグリゲーション通信処理を示すフロー図である。
【図７】図７は、本発明の第２実施例によるユーザ装置の構成を示すブロック図である。
【図８】図８は、本発明の第２実施例によるユーザ装置におけるアップリンクキャリアアグリゲーション通信処理を示すフロー図である。
【図９】図９は、本発明の第３実施例による基地局の構成を示すブロック図である。
【図１０】図１０は、本発明の第３実施例による基地局におけるアップリンクキャリアアグリゲーション通信処理を示すフロー図である。
【発明を実施するための形態】
【００１２】
以下、図面に基づいて本発明の実施の形態を説明する。
【００１３】
以下の実施例では、アップリンクキャリアアグリゲーション機能を有するユーザ装置及び基地局が開示される。
【００１４】
後述される実施例を概略すると、第１実施例では、ユーザ装置が、アップリンクキャリアアグリゲーションの設定中に他のＲＡＴシステム（測位システムなど）との無線通信を起動することを基地局に報告する。当該報告を受信すると、基地局は、他のＲＡＴシステムとの無線通信に干渉を生じさせるセカンダリセルへのリソース割当を停止する。
【００１５】
第２実施例では、ユーザ装置が、基地局によるアップリンクキャリアアグリゲーションの設定中に他のＲＡＴシステムとの無線通信を起動する際、他のＲＡＴシステムとの無線通信に干渉を生じさせるセカンダリセルのアップリンク送信を自律的に停止する。
【００１６】
第３実施例では、基地局が、ユーザ装置による他のＲＡＴシステムとの無線通信の起動を自律的に検出し、他のＲＡＴシステムとの無線通信に干渉を生じさせるセカンダリセルへのリソース割当を自律的に停止する。
【００１７】
これらの実施例によると、アップリンクキャリアアグリゲーションにおいて発生する相互変調歪みの発生領域と重複する周波数帯域を利用する他のＲＡＴシステムとの無線通信が、相互変調歪みによる干渉を受けることを回避することが可能になる。
【００１８】
図２を参照して、本発明の一実施例による無線通信システムを説明する。図２は、本発明の一実施例による無線通信システムを示す概略図である。
【００１９】
図２に示されるように、無線通信システム１０は、ユーザ装置１００，３００，５００及び基地局２００，４００，６００を有する。説明の便宜上、後述する第１実施例では、ユーザ装置１００及び基地局２００が使用され、第２実施例では、ユーザ装置３００及び基地局４００が使用され、第３実施例では、ユーザ装置５００及び基地局６００が使用されるとする。
【００２０】
無線通信システム１０は、例えば、アップリンクキャリアアグリゲーションをサポートするＬＴＥシステム又はＬＴＥ−Ａｄｖａｎｃｅｄシステムである。すなわち、ユーザ装置１００，３００，５００は、図示されるように、複数のコンポーネントキャリアＣＣ＃１，ＣＣ＃２を同時に用いて基地局２００，４００，６００に無線信号を送信することができる。図示された実施例では、ユーザ装置１００，３００，５００は、１つの基地局２００，４００，６００とアップリンクキャリアアグリゲーション通信を行うことしか示されていないが、本発明は、これに限定されるものでない。例えば、ユーザ装置１００，３００，５００は、複数の基地局２００，４００，６００により提供されるコンポーネントキャリアを同時に利用して、複数の基地局２００，４００，６００と同時にアップリンク送信を行ってもよい（デュアルコネクティビティ）。また、図示された実施例では、１つの基地局２００，４００，６００しか示されていないが、無線通信システム１０のサービスエリアをカバーするよう多数の基地局２００，４００，６００が配置される。
【００２１】
ユーザ装置１００，３００，５００は、基地局２００，４００，６００により提供される複数のキャリアを同時に利用して、基地局２００，４００，６００に無線信号を送信するアップリンクキャリアアグリゲーション機能を有する。また、ユーザ装置１００，３００，５００は、測位システム（ＧＮＳＳシステム）などの他ＲＡＴシステム７００と無線通信するための通信機能を有する。
【００２２】
典型的には、ユーザ装置１００，３００，５００は、図示されるように、スマートフォン、携帯電話、タブレット、モバイルルータ、ウェアラブル端末などの無線通信機能を備えた何れか適切な情報処理装置であってもよい。ユーザ装置１００，３００，５００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００，４００，６００との間で無線信号を送受信するための無線通信装置、他ＲＡＴシステム７００との間で無線信号を送受信するための無線通信装置などから構成される。例えば、後述されるユーザ装置１００，３００，５００の各機能及び処理は、メモリ装置に格納されているデータやプログラムをＣＰＵが処理又は実行することによって実現されてもよい。しかしながら、ユーザ装置１００，３００，５００は、上述したハードウェア構成に限定されず、後述する処理の１以上を実現する回路などにより構成されてもよい。
【００２３】
基地局２００，４００，６００は、ユーザ装置１００，３００，５００と無線接続することによって、コアネットワーク（図示せず）上に通信接続された上位局やサーバ８００から受信したダウンリンク（ＤＬ）パケットをユーザ装置１００，３００，５００に送信すると共に、ユーザ装置１００，３００，５００から受信したアップリンク（ＵＬ）パケットをサーバ８００に送信する。基地局２００，４００，６００は、複数のキャリアを介しユーザ装置１００，３００，５００から無線信号を同時に受信するアップリンクキャリアアグリゲーション機能を有する。
【００２４】
基地局２００，４００，６００は、典型的には、ユーザ装置１００，３００，５００との間で無線信号を送受信するためのアンテナ、隣接する基地局２００，４００，６００と通信するための通信インタフェース（Ｘ２インタフェースなど）、コアネットワークと通信するための通信インタフェース（Ｓ１インタフェースなど）、ユーザ装置１００，３００，５００との送受信信号を処理するためのプロセッサや回路などのハードウェアリソースにより構成される。後述される基地局２００，４００，６００の各機能及び処理は、メモリ装置に格納されているデータやプログラムをプロセッサが処理又は実行することによって実現されてもよい。しかしながら、基地局２００，４００，６００は、上述したハードウェア構成に限定されず、他の何れか適切なハードウェア構成を有してもよい。
【００２５】
他ＲＡＴシステム７００は、各自の周波数帯域において、無線通信システム１０と異なるＲＡＴによってユーザ装置１００，３００，５００と無線通信を行う。例えば、他ＲＡＴシステム７００は、測位システムであってもよく、具体的には、ＧＰＳシステム、Ｇｌｏｎａｓｓシステム、Ｇａｌｉｌｅｏシステム、ＢｅｉｄｏｕシステムなどのＧＮＳＳシステムであってもよい。この場合、他ＲＡＴシステム７００は、複数の衛星を用いて各自の周波数帯域において測位信号をユーザ装置１００，３００，５００に送信する。図１を参照して上述したように、アップリンクキャリアアグリゲーションにおいて８００ＭＨｚ帯域と１．７ＧＨｚ帯域との組み合わせが使用される場合、当該組み合わせにより発生する相互変調歪みの発生領域と他ＲＡＴシステム７００からの無線信号の周波数帯域とが重複することが知られ、当該組み合わせによるアップリンクキャリアアグリゲーション実行中、ユーザ装置１００，３００，５００は測位信号を適切に受信することができなくなる。しかしながら、本発明による他ＲＡＴシステム７００は、測位システムに限定されるものでなく、ユーザ装置１００，３００，５００からのアップリンク送信によって干渉を受ける周波数帯域を利用する他の何れかのＲＡＴシステムに適用されてもよい。
【００２６】
サーバ８００は、無線通信システム１０に通信接続され、無線通信システム１０を介しユーザ装置１００，３００，５００との間で各種データをやりとりする。典型的には、サーバ８００は、ユーザ装置１００，３００，５００にインストールされているアプリケーションからのデータ取得要求を無線通信システム１０から受信し、要求されたデータを無線通信システム１０を介しユーザ装置１００，３００，５００に送信する。
【００２７】
次に、図３〜６を参照して、本発明の第１実施例によるアップリンクキャリアアグリゲーション通信処理を説明する。第１実施例では、ユーザ装置１００が、アップリンクキャリアアグリゲーションの設定中に他ＲＡＴシステム７００との無線通信を起動することを基地局２００に報告する。当該報告を受信すると、基地局２００は、他ＲＡＴシステム７００との無線通信に干渉を生じさせるセカンダリセルへのリソース割当を停止する。
【００２８】
図３は、本発明の第１実施例によるユーザ装置の構成を示すブロック図である。図３に示されるように、ユーザ装置１００は、無線通信制御部１１０、他ＲＡＴ無線通信制御部１２０及び他ＲＡＴ通信状態報告部１３０を有する。
【００２９】
無線通信制御部１１０は、基地局２００との無線通信を制御する。具体的には、無線通信制御部１１０は、基地局２００との間でアップリンク／ダウンリンク制御チャネルやアップリンク／ダウンリンクデータチャネルなどの各種無線チャネルを送受信すると共に、基地局２００により提供される複数のキャリアを同時使用して基地局２００に無線信号を送信するアップリンクキャリアアグリゲーションを実行する。
【００３０】
他ＲＡＴ無線通信制御部１２０は、他ＲＡＴシステム７００との無線通信を制御する。ユーザ装置１００は、他ＲＡＴシステム７００に割り当てられた所定の周波数帯域において、無線通信システム１０と異なるＲＡＴによって他ＲＡＴシステム７００と通信可能である。他ＲＡＴシステム７００は、例えば、ＧＮＳＳシステムなどの測位システムであってもよく、ユーザ装置１００は、測位システムから受信した測位信号に基づきユーザ装置１００の位置を測定することができる。上述したように、他ＲＡＴシステム７００の周波数帯域が、アップリンクキャリアアグリゲーションによる相互変調歪みの発生領域と重複することがあり、他ＲＡＴシステム７００との無線通信が、アップリンクキャリアアグリゲーション設定中にユーザ装置１００によるアップリンク送信によって干渉を受けることがある。
【００３１】
他ＲＡＴ通信状態報告部１３０は、アップリンクキャリアアグリゲーションの設定中に他ＲＡＴシステム７００との無線通信が起動されると、アップリンクキャリアアグリゲーションにおいて干渉を生じさせるセカンダリセルに対するリソース割当を停止させるトリガメッセージを基地局２００に送信する。すなわち、他ＲＡＴ無線通信制御部１２０が、アップリンクキャリアアグリゲーションの設定中に他ＲＡＴシステム７００との無線通信を起動すると、他ＲＡＴ通信状態報告部１３０は、当該他ＲＡＴシステム７００の周波数帯域に干渉を生じさせるアップリンクキャリアアグリゲーションの相互変調歪みの発生を防ぐため、干渉を生じさせるセカンダリセルに対するリソース割当を基地局２００に停止させるためのトリガメッセージを送信する。ここで、他ＲＡＴ通信状態報告部１３０は、他ＲＡＴシステム７００の周波数帯に干渉を生じさせる相互変調歪みを発生させるキャリアを予め把握していてもよい。このとき、当該キャリアがアップリンクキャリアアグリゲーションのセカンダリセルに設定された場合、他ＲＡＴ通信状態報告部１３０は、他ＲＡＴシステム７００との無線通信が干渉を受けることを認識することができ、干渉を生じさせるセカンダリセルを特定することが可能となる。
【００３２】
ＬＴＥ規格では、ユーザ装置１００から通知されるセカンダリセルに関する報告に応じて、当該セカンダリセルに対するリソース割当を基地局２００が停止する制御が規定されている。例えば、ＰＨＲ（Ｐｏｗｅｒ  Ｈｅａｄｒｏｏｍ  Ｒｅｐｏｒｔ）においてセカンダリセルのパワーヘッドルームが所定値より小さい値で報告された場合、アップリンクキャリアアグリゲーションのセル間のアップリンク送信タイミング差が所定の閾値以上になったことが報告された場合、あるいは、セカンダリセルの品質が劣化したことが報告された場合、基地局２００は、当該セカンダリセルに対するリソース割当を停止するよう規定されている。本実施例では、アップリンクキャリアアグリゲーションの設定中に他ＲＡＴシステム７００との無線通信が起動されると、他ＲＡＴ通信状態報告部１３０は、ＬＴＥ規格に規定された上記制御を援用して、干渉を生じさせるセカンダリセルに対するリソース割当を停止させるトリガメッセージを基地局２００に送信する。当該トリガメッセージを受信すると、基地局２００は、当該セカンダリセルに対するリソース割当を停止する。
【００３３】
一実施例では、他ＲＡＴ通信状態報告部１３０は、基地局２００からの指示によって起動又は停止されてもよい。具体的には、基地局２００が、ユーザ装置１００に他ＲＡＴシステム７００との無線通信の起動及び／又は停止を報告するよう指示し、当該報告指示を受信した場合に限って、他ＲＡＴ通信状態報告部１３０は他ＲＡＴシステム７００との無線通信の起動及び／又は停止を基地局２００に報告してもよい。これにより、基地局２００は、アップリンクキャリアアグリゲーションの実行中に他ＲＡＴシステム７００との無線通信に干渉を生じさせるキャリアをユーザ装置１００に設定した場合に限って、他ＲＡＴシステム７００との無線通信の起動及び／又は停止をユーザ装置１００に報告させるようにすることが可能になる。換言すると、アップリンクキャリアアグリゲーションの実行中であっても、ユーザ装置１００に他ＲＡＴシステム７００との無線通信と干渉を生じさせるキャリアを設定していない場合、基地局２００は、他ＲＡＴシステム７００との無線通信の起動及び／又は停止を不要に報告させることを回避できる。また、基地局２００は、ユーザ装置１００に対するアップリンクキャリアアグリゲーションの設定を削除する場合、ユーザ装置１００に他ＲＡＴシステム７００との無線通信の起動及び／又は停止の報告を停止させてもよい。
【００３４】
一実施例では、アップリンクキャリアアグリゲーションの設定中に他ＲＡＴシステム７００との無線通信が起動されると、他ＲＡＴ通信状態報告部１３０は、干渉を生じさせるセカンダリセルについて所定値以下のパワーヘッドルームを基地局２００に報告してもよい。ＬＴＥ規格によると、ユーザ装置１００の送信電力が人体に影響を及ぼすことを防ぐため、各セルに対して送信電力を低減するためのパワーバックオフが規定されている。この規定を利用して、他ＲＡＴ通信状態報告部１３０は、アップリンクキャリアアグリゲーションの設定中に他ＲＡＴシステム７００との無線通信が起動されると、干渉を生じさせるセカンダリセルのパワーバックオフが非常に大きな値（例えば、無限大など）になったとみなし、ＰＨＲにおいて当該セカンダリセルのパワーヘッドルームを所定の値より小さい値で報告してもよい。例えば、所定の値は０等任意の値でよい。ユーザ装置１００から所定値以下のパワーヘッドルームのセカンダリセルが報告されると、基地局２００は、当該セカンダリセルに対するリソース割当を停止することになる。
【００３５】
このとき、他ＲＡＴ通信状態報告部１３０は、当該ＰＨＲにおいてＰフィールドを設定してもよい。パワーヘッドルームがマイナス値になる要因として、上述したパワーバックオフが非常に大きな値になったケースと共に、他の要因によってＰＨＲがトリガされることも想定される、例えば、パスロスが発生したケースも想定される。前者のケースであることを明確にするため、パワーバックオフが非常に大きな値になったことを示すインジケータとして定義されるＰフィールドが、ＰＨＲにおいて設定されてもよい。
【００３６】
また、ＰＨＲを送信するためのＰＨＲトリガは、Ｐ−ＭＰＲ（Ｐｏｗｅｒ  ｍａｎａｇｅｍｅｎｔ−Ｍａｘｉｍｕｍ  Ｐｏｗｅｒ  Ｒｅｄｕｃｔｉｏｎ）変動に基づくものであり、ＰＨＲの頻繁な報告によるアップリンクシグナリングの増大を回避するため、ＰＨＲ−ｐｒｏｈｉｂｉｔＴｉｍｅｒの制約を受ける。しかしながら、他ＲＡＴシステム７００との無線通信の起動時には可能な限り早期に基地局２００にＰＨＲを送信することが必要となる。このため、他ＲＡＴ通信状態報告部１３０は、ＰＨＲ−ｐｒｏｈｉｂｉｔＴｉｍｅｒの制約を受けることなく、ＰＨＲにおいて干渉を生じさせるセカンダリセルのパワーヘッドルームを所定値以下の値として基地局２００に報告してもよい。
【００３７】
その後、他ＲＡＴ通信状態報告部１３０は、他ＲＡＴシステム７００との無線通信が終了すると、干渉を生じさせるセカンダリセルのパワーバックオフを当初の値に戻し、当該セカンダリセルについて当初の値によるパワーヘッドルームを基地局２００に報告してもよい。例えば、他ＲＡＴシステム７００との無線通信が測位システムとの無線通信である場合、ユーザ装置１００の測位処理が終了すると、他ＲＡＴ通信状態報告部１３０は、干渉を生じさせるセカンダリセルのパワーバックオフを当初の値に戻し、当該当初の値によるＰＨＲを基地局２００に送信してもよい。
【００３８】
また、干渉を生じさせるセカンダリセルのパワーヘッドルームをマイナス値により基地局２００に報告することは、ＰＨＲコンフィギュレーションにおいて指定されてもよい。他ＲＡＴ通信状態報告部１３０は、基地局２００により通知されるＰＨＲコンフィギュレーションにおいて当該報告機能がオンに指定されている場合に、当該報告を実施してもよい。また、パスロスの変動などの他のＰＨＲトリガが同時に満たされている場合、他ＲＡＴシステム７００との無線通信によるＰＨＲトリガが優先されてもよい。
【００３９】
また、このような所定値以下のパワーヘッドルームによる報告機能がユーザ装置１００にサポートされているか否かは、ＵＥ  Ｃａｐａｂｉｌｉｔｙにおける既存の"Ｐｏｗｅｒ  Ｍａｎａｇｅｍｅｎｔ  Ｉｎｄｉｃａｔｏｒ  ｉｎ  ＰＨＲ"により通知されてもよい。これにより、基地局２００は、ユーザ装置１００から受信したＵＥ  Ｃａｐａｂｉｌｉｔｙの"Ｐｏｗｅｒ  Ｍａｎａｇｅｍｅｎｔ  Ｉｎｄｉｃａｔｏｒ  ｉｎ  ＰＨＲ"を参照することによって、ユーザ装置１００が当該報告機能をサポートしているか判断することができる。
【００４０】
一実施例では、アップリンクキャリアアグリゲーションの設定中に他ＲＡＴシステム７００との無線通信が起動されると、他ＲＡＴ通信状態報告部１３０は、アップリンクキャリアアグリゲーションのセルの内、干渉を生じさせるセカンダリセルと当該セカンダリセル以外のセル（例えば、プライマリセル）とのアップリンク送信タイミング差が所定の閾値以上になったことを基地局２００に報告してもよい。ＬＴＥ規格によると、アップリンクキャリアアグリゲーションにおいてセカンダリセルと当該セカンダリセル以外のセル（例えば、プライマリセル）とのアップリンク送信タイミング差が所定の閾値以上になった場合、ユーザ装置１００は、当該セカンダリセルによるアップリンク送信を停止できることが規定されている。この規定を援用して、他ＲＡＴ通信状態報告部１３０は、アップリンクキャリアアグリゲーションの設定中に他ＲＡＴシステム７００との無線通信が起動されると、干渉を生じさせるセカンダリセルと当該セカンダリセル以外のセル（例えば、プライマリセル）とのアップリンク送信タイミング差が所定の閾値以上になったとみなし、当該アップリンク送信タイミング差が所定の閾値以上になったことを基地局２００に報告してもよい。ユーザ装置１００からアップリンク送信タイミング差が所定の閾値以上になったことが報告されると、基地局２００は、ユーザ装置１００が当該セカンダリセルによるアップリンク送信を停止したと判断し、当該セカンダリセルに対するリソース割当を停止することになる。
【００４１】
その後、他ＲＡＴ通信状態報告部１３０は、他ＲＡＴシステム７００との無線通信が終了すると、干渉を生じさせるセカンダリセルと当該セカンダリセル以外のセル（例えば、プライマリセル）とのアップリンク送信タイミング差を当初の値に戻し、当該アップリンク送信タイミング差を基地局２００に報告してもよい。例えば、他ＲＡＴシステム７００との無線通信が測位システムとの無線通信である場合、ユーザ装置１００の測位処理が終了すると、他ＲＡＴ通信状態報告部１３０は、干渉を生じさせるセカンダリセルと当該セカンダリセル以外のセル（例えば、プライマリセル）とのアップリンク送信タイミング差を当初の値に戻し、当該当初の値によるアップリンク送信タイミング差を基地局２００に送信してもよい。
【００４２】
一実施例では、アップリンクキャリアアグリゲーションの設定中に他ＲＡＴシステム７００との無線通信が起動されると、他ＲＡＴ通信状態報告部１３０は、干渉を生じさせるセカンダリセルの品質が劣化したことを基地局２００に報告してもよい。キャリアアグリゲーションでは、基地局２００は、良好な品質のセルをアップリンクキャリアアグリゲーションのセカンダリセルとして設定する。これを援用して、他ＲＡＴ通信状態報告部１３０は、アップリンクキャリアアグリゲーションの設定中に他ＲＡＴシステム７００との無線通信が起動されると、干渉を生じさせるセカンダリセルの品質が劣化したとみなし、当該セカンダリセルの品質劣化を基地局２００に報告してもよい。ユーザ装置１００から当該品質劣化が報告されると、基地局２００は、当該セカンダリセルに対するリソース割当を停止することになる。
【００４３】
具体的には、他ＲＡＴ通信状態報告部１３０は、当該セカンダリセルのＣＱＩ（Ｃｈａｎｎｅｌ  Ｑｕａｌｉｔｙ  Ｉｎｄｉｃａｔｏｒ）をアウト・オブ・レンジ（ＯＯＲ）として報告してもよいし、当該セカンダリセルの品質劣化を示すメジャメントレポートを報告してもよい。また、当該セカンダリセルがデュアルコネクティビティにおけるＰＳＣｅｌｌである場合、他ＲＡＴ通信状態報告部１３０は、当該ＰＳＣｅｌｌに対して無線リンク障害（ＲＬＦ）を検出したことを基地局２００に報告してもよい。なお、ＰＳＣｅｌｌとは、アップリンク制御チャネル（ＰＵＣＣＨ）を受信する特別なセカンダリセルを表す。また、当該無線リンク障害の原因（ｃａｕｓｅ）として"他通信開始"が指定されてもよい。
【００４４】
その後、他ＲＡＴ通信状態報告部１３０は、他ＲＡＴシステム７００との無線通信が終了すると、干渉を生じさせるセカンダリセルの品質を当初の品質に戻し、当該当初の品質を基地局２００に報告してもよい。例えば、他ＲＡＴシステム７００との無線通信が測位システムとの無線通信である場合、ユーザ装置１００の測位処理が終了すると、他ＲＡＴ通信状態報告部１３０は、干渉を生じさせるセカンダリセルの品質を当初の品質に戻し、当該当初の品質を基地局２００に送信してもよい。
【００４５】
図４は、本発明の第１実施例による基地局の構成を示すブロック図である。図４に示されるように、基地局２００は、無線通信制御部２１０及びトリガメッセージ受信部２２０を有する。
【００４６】
無線通信制御部２１０は、ユーザ装置１００との無線通信を制御する。具体的には、無線通信制御部２１０は、ユーザ装置１００との間で各種制御信号及びデータ信号を送受信すると共に、アップリンクキャリアアグリゲーションの設定中は複数のキャリアによりユーザ装置１００から無線信号を受信する。
【００４７】
トリガメッセージ受信部２２０は、アップリンクキャリアアグリゲーションの設定中に他ＲＡＴシステム７００との無線通信が起動されたことに応答してユーザ装置１００から送信されたトリガメッセージを受信する。無線通信制御部２１０は、当該トリガメッセージの受信に応答して、アップリンクキャリアアグリゲーションの干渉を生じさせるセカンダリセルに対するリソース割当を停止する。上述したように、ＬＴＥ規格によると、干渉を生じさせるセカンダリセルに対するリソース割当を基地局２００が停止する制御が規定されている。この規定を援用して、当該トリガメッセージは、例えば、ＰＨＲにおけるマイナス値などの所定値以下のパワーヘッドルームのセカンダリセルの報告、アップリンクキャリアアグリゲーションのセルの内、セカンダリセルと他のセル（プライマリセルなど）のアップリンク送信タイミング差が所定の閾値以上になったことの報告、あるいは、セカンダリセルの品質が劣化したことの報告であってもよい。アップリンクキャリアアグリゲーションの設定中に他ＲＡＴシステム７００との無線通信が起動されると、ユーザ装置１００は、上述したようなトリガメッセージを基地局２００に送信する。当該トリガメッセージを受信すると、無線通信制御部２１０は、当該セカンダリセルに対するリソース割当を停止する。
【００４８】
一実施例では、トリガメッセージの受信に応答して、無線通信制御部２１０は、干渉を生じさせるセカンダリセルに対するアップリンクスケジューリングと個別リソースの割り当てとの一方又は双方を停止してもよい。具体的には、無線通信制御部２１０は、当該セカンダリセルに対するアップリンクデータチャネル（ＰＵＳＣＨ）の割当を停止したり、ＳＲＳ（Ｓｏｕｎｄｉｎｇ  Ｒｅｆｅｒｅｎｃｅ  Ｓｉｇｎａｌ）などの個別リソースの割当を停止してもよい。なお、個別リソースが既に割当済みである場合、無線通信制御部２１０は、当該個別リソースの割当を削除してもよい。
【００４９】
また、アップリンクスケジューリングを停止したとしても、ユーザ装置１００は、ランダムアクセス（ＲＡ）手順をトリガすると想定される。無線通信制御部２１０は、ユーザ装置１００によるＰＲＡＣＨ（Ｐｈｙｓｉｃａｌ  Ｒａｎｄｏｍ  Ａｃｃｅｓｓ  Ｃｈａｎｎｅｌ）送信を抑制するため、ＰＲＡＣＨコンフィギュレーションを削除してもよい。具体的には、無線通信制御部２１０は、ユーザ装置１００が報知情報から受信したＰＲＡＣＨコンフィギュレーションを個別シグナリングにより削除するよう指示してもよい。
【００５０】
図５は、本発明の第１実施例によるユーザ装置におけるアップリンクキャリアアグリゲーション通信処理を示すフロー図である。当該アップリンクキャリアアグリゲーション通信処理は、基地局２００が、ユーザ装置１００にアップリンクキャリアアグリゲーションを設定したことに応答して開始される。
【００５１】
図５に示されるように、ステップＳ１０１において、他ＲＡＴ無線通信制御部１２０は、他ＲＡＴシステム７００との無線通信を開始する。例えば、他ＲＡＴシステム７００が測位システムである場合、他ＲＡＴ無線通信制御部１２０は、ユーザが使用しているアプリケーションからの位置情報の取得要求に応答して、無線測位機能を起動する。
【００５２】
ステップＳ１０２において、他ＲＡＴ通信状態報告部１３０は、他ＲＡＴシステム７００との無線通信の起動に応答して、アップリンクキャリアアグリゲーションにおいて当該無線通信に干渉を生じさせるセカンダリセルに対するリソース割当を停止させるリソース割当停止イベントが発生したとみなす。例えば、他ＲＡＴ通信状態報告部１３０は、当該セカンダリセルのＰ−ＭＰＲ又はパワーバックオフが無限大などの非常に大きな値になったとみなしてもよいし、当該セカンダリセルと他のセル（プライマリセルなど）とのアップリンク送信タイミング差が所定の閾値以上になったとみなしてもよいし、あるいは、当該セカンダリセルの品質が劣化したとみなしてもよい。
【００５３】
ステップＳ１０３において、他ＲＡＴ通信状態報告部１３０は、当該リソース割当停止イベントの発生を示すトリガメッセージを基地局２００に送信する。例えば、他ＲＡＴ通信状態報告部１３０は、当該セカンダリセルについてマイナス値などの所定値以下のパワーヘッドルームを示すＰＨＲを基地局２００に送信してもよいし、当該セカンダリセルとアップリンクキャリアアグリゲーションの他のセル（プライマリセルなど）とのアップリンク送信タイミング差が所定の閾値以上であることを基地局２００に通知してもよいし、あるいは、当該セカンダリセルの品質が劣化したことをメジャメントレポートにより報告してもよい。当該トリガメッセージを受信すると、基地局２００は、通知されたセカンダリセルに対するリソース割当を停止する。
【００５４】
図６は、本発明の第１実施例による基地局におけるアップリンクキャリアアグリゲーション通信処理を示すフロー図である。当該アップリンクキャリアアグリゲーション通信処理は、基地局２００が、ユーザ装置１００にアップリンクキャリアアグリゲーションを設定したことに応答して開始される。
【００５５】
図６に示されるように、ステップＳ２０１において、トリガメッセージ受信部２２０は、アップリンクキャリアアグリゲーションにおいて干渉を生じさせるセカンダリセルに対するリソース割当を停止させるトリガメッセージをユーザ装置１００から受信する。当該トリガメッセージは、アップリンクキャリアアグリゲーションの設定中に他ＲＡＴシステム７００との無線通信が起動されたことに応答して、ユーザ装置１００から送信される。当該トリガメッセージは、例えば、ＰＨＲにおけるマイナス値などの所定値以下のパワーヘッドルームのセカンダリセルの報告、アップリンクキャリアアグリゲーションのセルの内、干渉を生じさせるセカンダリセルと当該セカンダリセル以外のセル（プライマリセルなど）のアップリンク送信タイミング差が所定の閾値以上になったことの報告、あるいは、メジャメントレポートにおいてセカンダリセルの品質が劣化したことの報告であってもよい。
【００５６】
ステップＳ２０２において、当該トリガメッセージの受信に応答して、無線通信制御部２１０は、アップリンクキャリアアグリゲーションの当該セカンダリセルに対するリソース割当を停止する。
【００５７】
次に、図７〜８を参照して、本発明の第２実施例によるアップリンクキャリアアグリゲーション通信処理を説明する。第２実施例では、ユーザ装置３００が、基地局４００によるアップリンクキャリアアグリゲーションの設定中に他ＲＡＴシステム７００との無線通信を起動する際、他ＲＡＴシステム７００との無線通信に干渉を生じさせるセカンダリセルのアップリンク送信を自律的に停止する。
【００５８】
図７は、本発明の第２実施例によるユーザ装置の構成を示すブロック図である。図７に示されるように、ユーザ装置３００は、無線通信制御部３１０及び他ＲＡＴ無線通信制御部３２０を有する。
【００５９】
無線通信制御部３１０は、基地局４００との無線通信を制御する。具体的には、無線通信制御部３１０は、基地局４００との間でアップリンク／ダウンリンク制御チャネルやアップリンク／ダウンリンクデータチャネルなどの各種無線チャネルを送受信すると共に、基地局４００により提供される複数のキャリアを同時使用して基地局４００に無線信号を送信するアップリンクキャリアアグリゲーションを実行する。
【００６０】
他ＲＡＴ無線通信制御部３２０は、他ＲＡＴシステム７００との無線通信を制御する。例えば、他ＲＡＴシステム７００がＧＮＳＳシステムなどの測位システムである場合、ユーザ装置３００は、測位システムから受信した測位信号に基づきユーザ装置３００の位置を測定することができる。上述したように、他ＲＡＴシステム７００の周波数帯域が、アップリンクキャリアアグリゲーションによる相互変調歪みの発生領域と重複することがあり、他ＲＡＴシステム７００との無線通信が、ユーザ装置３００からのアップリンク送信によって干渉を受けることがある。このため、アップリンクキャリアアグリゲーションの設定中に他ＲＡＴシステム７００との無線通信が起動されると、無線通信制御部３１０は、アップリンクキャリアアグリゲーションの干渉を生じさせるセカンダリセルへのアップリンク送信を自律的に停止する。ここで、「自律的な送信停止」とは、基地局４００からの明示的な指示を受けることなく、ユーザ装置３００がアップリンクキャリアアグリゲーションの干渉を生じさせるセカンダリセルへのアップリンク送信を自ら停止することを意味する。
【００６１】
一実施例では、アップリンクキャリアアグリゲーションの設定中に他ＲＡＴシステム７００との無線通信が起動されると、無線通信制御部３１０は、干渉を生じさせるセカンダリセルへの送信を自律的に停止するアップリンク送信停止イベントを実行してもよい。例えば、当該アップリンク送信停止イベントは、再接続処理を実行すること、干渉を生じさせるセカンダリセルに対するタイミングアドバンスタイマを停止若しくは満了させること、又はアップリンクキャリアアグリゲーションのセルの内、干渉を生じさせるセカンダリセルと他のセル（プライマリセルなど）とのアップリンク送信タイミング差が所定の閾値以上になったと判定することであってもよい。
【００６２】
具体的には、無線通信制御部３１０は、アップリンクキャリアアグリゲーションの設定中に他ＲＡＴシステム７００との無線通信が起動されると、基地局４００との再接続処理を起動し、当該セカンダリセルを自律的に解放してもよい。再接続処理が実行されると、設定されているセカンダリセルは一旦解放され、当該セカンダリセルへのアップリンク送信は停止される。
【００６３】
あるいは、無線通信制御部３１０は、アップリンクキャリアアグリゲーションの設定中に他ＲＡＴシステム７００との無線通信が起動されると、当該セカンダリセルを含むタイミングアドバンス（ＴＡ）グループのＴＡタイマを停止するか、又は満了したとみなしてもよい。ＬＴＥ規格によると、ＴＡタイマが満了すると、ユーザ装置３００は設定されている個別リソースを解放することが規定されている。当該個別リソースの解放によって、当該セカンダリセルへのアップリンク送信は停止される。また、ＴＡタイマが満了しても、ユーザ装置３００は、ＰＲＡＣＨを送信することによってＲＡ手順を起動することは可能であるが、無線通信制御部３１０は、ＰＲＡＣＨの送信を一時的に保留してもよい。
【００６４】
あるいは、無線通信制御部３１０は、アップリンクキャリアアグリゲーションの設定中に他ＲＡＴシステム７００との無線通信が起動されると、当該セカンダリセルと他のセル（プライマリセルなど）とのアップリンク送信タイミング差が所定の閾値以上になったとみなしてもよい。ＬＴＥ規格によると、アップリンクキャリアアグリゲーションのセル間のアップリンク送信タイミング差（例えば、プライマリセルとセカンダリセルとのアップリンク送信タイミング差など）が所定の閾値以上になった場合、ユーザ装置３００が当該セカンダリセルのアップリンク送信を停止することが許容されている。
【００６５】
その後、無線通信制御部３１０は、他ＲＡＴシステム７００との無線通信が終了すると、干渉を生じさせるセカンダリセルへのアップリンク送信を再開してもよい。
【００６６】
図８は、本発明の第２実施例によるユーザ装置におけるアップリンクキャリアアグリゲーション通信処理を示すフロー図である。当該アップリンクキャリアアグリゲーション通信処理は、基地局４００が、ユーザ装置３００にアップリンクキャリアアグリゲーションを設定したことに応答して開始される。
【００６７】
図８に示されるように、ステップＳ３０１において、他ＲＡＴ無線通信制御部３２０は、他ＲＡＴシステム７００との無線通信を開始する。例えば、他ＲＡＴシステム７００が測位システムである場合、他ＲＡＴ無線通信制御部３２０は、ユーザが使用しているアプリケーションからの位置情報の取得要求に応答して、無線測位機能を起動する。
【００６８】
ステップＳ３０２において、無線通信制御部３１０は、アップリンクキャリアアグリゲーションの干渉を生じさせるセカンダリセルへの送信を自律的に停止する。例えば、無線通信制御部３１０は、アップリンクキャリアアグリゲーションの設定中に他ＲＡＴシステム７００との無線通信が起動されると、基地局４００との再接続処理を起動してもよく、当該セカンダリセルを含むＴＡグループのＴＡタイマを停止するか、又は満了したとみなしてもよく、あるいは、当該セカンダリセルとプライマリセルとのアップリンク送信タイミング差が所定の閾値以上になったとみなしてもよい。この結果、ＬＴＥ規格によると、当該セカンダリセルへのアップリンク送信は停止される。
【００６９】
次に、図９〜１０を参照して、本発明の第３実施例によるアップリンクキャリアアグリゲーション通信処理を説明する。第３実施例では、基地局６００が、ユーザ装置５００による他ＲＡＴシステム７００との無線通信の起動を自律的に検出し、他ＲＡＴシステム７００との無線通信に干渉を生じさせるセカンダリセルへのリソース割当を自律的に停止する。
【００７０】
図９は、本発明の第３実施例による基地局の構成を示すブロック図である。図９に示されるように、基地局６００は、無線通信制御部６１０及び他ＲＡＴ通信状態検出部６２０を有する。
【００７１】
無線通信制御部６１０は、ユーザ装置５００との無線通信を制御する。具体的には、無線通信制御部６１０は、ユーザ装置５００との間で各種制御信号及びデータ信号を送受信すると共に、アップリンクキャリアアグリゲーションの設定中は複数のキャリアによりユーザ装置５００から無線信号を受信する。
【００７２】
他ＲＡＴ通信状態検出部６２０は、アップリンクキャリアアグリゲーションの設定中にユーザ装置５００による他ＲＡＴシステム７００との無線通信の起動を自律的に検出する。ここで、「自律的な検出」とは、ユーザ装置５００からの明示的な報告を受けることなく、基地局６００がアップリンクキャリアアグリゲーションの設定中にユーザ装置５００による他ＲＡＴシステム７００との無線通信の起動を自ら検出することを意味する。
【００７３】
具体的には、他ＲＡＴ通信状態検出部６２０は、ユーザにより使用されているアプリケーションがサーバ８００に送信するデータを傍受し、当該データがユーザ装置５００に他ＲＡＴシステム７００との無線通信を要求するサービスに関するものであるか判断してもよい。当該データがユーザ装置５００に他ＲＡＴシステム７００との無線通信を要求するサービスに関するものである場合、他ＲＡＴ通信状態検出部６２０は、ユーザ装置５００によって他ＲＡＴシステム７００との無線通信が起動されると判断してもよい。例えば、他ＲＡＴ通信状態検出部６２０は、ユーザ装置５００の位置情報を必要とするサービスを提供するサーバ８００が登録されているＯＡＭ（Ｏｐｅｒｅｔａｔｉｏｎｓ  Ａｄｍｉｎｉｓｔｒａｔｉｏｎ  ａｎｄ  Ｍａｉｎｔｅｎａｎｃｅ）を予め保持する。他ＲＡＴ通信状態検出部６２０は、ユーザが使用しているアプリケーションにより送信されるデータのＩＰ（Ｉｎｔｅｒｎｅｔ  Ｐｒｏｔｏｃｏｌ）アドレスを傍受し、傍受したＩＰアドレスがＯＡＭに登録されている場合、ユーザ装置５００によって他ＲＡＴシステム７００との無線通信が起動されると判断してもよい。
【００７４】
このようにして、他ＲＡＴシステム７００との無線通信の起動が検出されると、無線通信制御部６１０は、アップリンクキャリアアグリゲーションの干渉を生じさせるセカンダリセルに対するリソース割当を停止する。例えば、無線通信制御部６１０は、当該セカンダリセルに対するアップリンクスケジューリングと個別リソースの割り当てとの一方又は双方を停止してもよい。
【００７５】
図１０は、本発明の第３実施例による基地局におけるアップリンクキャリアアグリゲーション通信処理を示すフロー図である。当該アップリンクキャリアアグリゲーション通信処理は、基地局６００が、ユーザ装置５００にアップリンクキャリアアグリゲーションを設定したことに応答して開始される。
【００７６】
図１０に示されるように、ステップＳ４０１において、他ＲＡＴ通信状態検出部６２０は、ユーザ装置５００による他ＲＡＴシステム７００との無線通信の起動を検出する。
【００７７】
ステップＳ４０２において、他ＲＡＴシステム７００との無線通信の起動を検出したことに応答して、無線通信制御部６１０は、アップリンクキャリアアグリゲーションの干渉を生じさせるセカンダリセルに対するリソース割当を停止する。
【００７８】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００７９】
１０  無線通信システム
１００，３００，５００  ユーザ装置
２００，４００，６００  基地局
７００  他ＲＡＴシステム
８００  サーバ
【図１】
0006442235.tif 000002
【図２】
0006442235.tif 000003
【図３】
0006442235.tif 000004
【図４】
0006442235.tif 000005
【図５】
0006442235.tif 000006
【図６】
0006442235.tif 000007
【図７】
0006442235.tif 000008
【図８】
0006442235.tif 000009
【図９】
0006442235.tif 000010
【図１０】
0006442235.tif 000011